(57)【要約】【課題】回転つまみの中央に静止する指標を配設した回転式電子部品において、回転つまみと指標との間の隙間を防滴するとともに、回転つまみのスムーズな回転操作を実現した回転式電子部品を提供する。【解決手段】基台５０と、基台５０上に設置される第１の回路基板７０と、基台５０上に設置されるケース３５０と、ケース３５０に回転自在に支持される回転つまみ２００と、回転つまみ２００の上面側に形成した指標載置面２０７上に設置される指標２５０とを有する。回転つまみ２００の指標載置面２０７と指標２５０との間に防滴部材２３０を配置する。【選択図】図３
2019040716.tif 000002
【特許請求の範囲】
【請求項１】
基台と、
前記基台上に設置される回路基板と、
下面が開放され、上面に開口部を設け、前記基台上に設置されるケースと、
前記ケース上に設置され、前記ケースの開口部に回転自在に挿入される回転軸を有する回転つまみと、
前記回転つまみの上面側に形成した指標載置面上に設置される指標と、
を有し、
前記回転つまみの指標載置面と前記指標との間に防滴部材を配置したことを特徴とする回転式電子部品。
【請求項２】
請求項１に記載の回転式電子部品であって、
前記回転つまみと前記指標の前記防滴部材に当接する面は、何れも平面状に形成されていることを特徴とする回転式電子部品。
【請求項３】
請求項１又は２に記載の回転式電子部品であって、
前記基台の下面側に押圧スイッチを設けた第２の回路基板を設置し、
一方、前記指標の上に押圧つまみを設置し、
前記押圧つまみに設けたスイッチ押圧部を、前記指標に設けた挿通孔に挿入してその先端を前記押圧スイッチに対向させ、
前記押圧つまみの下面と前記指標の間に、防滴部材を配置したことを特徴とする回転式電子部品。
【請求項４】
請求項１又は２又は３に記載の回転式電子部品であって、
前記基台の下面側に押圧スイッチを設けた第２の回路基板と、
前記第２の回路基板を載置する取付板とを設置し、
前記基台は前記第２の回路基板上の押圧スイッチを押圧操作する押圧部を有し、且つ前記取付板に固定され、
前記取付板上に前記押圧スイッチを囲み且つ内周側に向かって突出した部分に固定部を設けた防滴部材を設置し、
前記ケースと前記基台の間に、前記防滴部材の固定部を挟んで固定したことを特徴とする回転式電子部品。
【発明の詳細な説明】
【技術分野】
【０００１】
本発明は、防滴機能を有する回転式電子部品に関するものである。
【背景技術】
【０００２】
車載用ナビゲーションシステム、コンピュータ、各種携帯端末機器、各種ＯＡ機器、ゲーム機器等を操作するデバイスとして、多機能型電子部品が広く用いられている。この種の多機能型電子部品として、例えば回転式電子部品としての回転つまみと、この回転つまみの中央部に設置される押圧式電子部品としての押圧つまみと、上面を押圧して揺動させることで操作する揺動式電子部品としての前記回転つまみなどから構成された多機能型電子部品が存在する。このような多機能型電子部品によれば、回転式電子部品の機能と押圧式電子部品の機能と揺動式電子部品の機能とを兼ね備えた操作デバイスをコンパクトに構成することができる。なお、回転つまみは、一般に、外装ケースに設けた開口部内に露出するように設置される。
【０００３】
前記構成からなる多機能型電子部品においては、各部品間、例えば回転つまみと外装ケースとの間や回転つまみと押圧つまみとの間等に、必然的に隙間が形成されることになる。このため、前記多機能型電子部品においては、前記隙間から浸入する水滴等の液体が、内部に設けた電気的機能部（摺動子や摺接パターン）等に流れ込むことを防止する機能が必要となる。
【０００４】
前記電気的機能部等への液体の浸入を防止する機能を具備した機構（以下、防滴機構という）として、例えば特許文献１に記載の防滴機構がある。特許文献１には、回転つまみ（８０）と、この回転つまみ（８０）上に載置された表示部材（３０）との隙間における防滴機構であって、回転つまみ（８０）上の表示部材（３０）が載置される面に設けられた凹部（８７ａ）と、表示部材（３０）上の前記凹部（８７ａ）と対向する面に設けられた凸部（３３ａ）とを係合させることで回転係合部（９０）を形成し、これによって内部へ液体が浸入することを防止する構成が開示されている。しかし、この防滴機構によって所望の防滴効果を奏するためには、回転係合部（９０）における隙間をできるだけ狭くすることが必要となることから、高い精度で凹凸部を加工することが求められる。このため、上記防滴機構には、製造コストが高くなるといった問題や、組立性が悪化するといった問題が生じる。また、特許文献１には、前記回転係合部（９０）に加え、回転つまみ（８０）に設けられた凸部（８７ｂ）と表示部材（３０）に設けられた凹部（３３ｃ）との間に第１弾性防水部材（スポンジ）（３００）を介在させることで防滴機能を高めた防滴機構が開示されている。しかし、当該防滴機構においては、第１弾性防水部材（３００）の四方が回転つまみ（８０）及び表示部材（３０）に接触するため、摩擦力が増大し、この結果、回転つまみ（８０）の回転操作に強い力（回転トルク）が必要になり、操作性が悪化するという問題が生じる。
【先行技術文献】
【特許文献】
【０００５】
【特許文献１】特開２０１４−６００３０号公報
【発明の概要】
【発明が解決しようとする課題】
【０００６】
本発明は、上述の点に鑑みてなされたものであり、その目的は、回転つまみのスムーズな回転操作を実現するとともに、内部への浸水を効果的に防止し、さらに簡易な構造とすることで製造コストを低く抑えられる回転式電子部品を提供することにある。
【課題を解決するための手段】
【０００７】
本発明にかかる回転式電子部品は、基台と、この基台上に設置される回路基板と、下面が開放され、上面に開口部を設け、前記基台上に設置されるケースと、前記ケース上に設置され、前記ケースの開口部に回転自在に挿入される回転軸を有する回転つまみと、前記回転つまみの上面側に形成した指標載置面上に設置される指標と、を有し、前記回転つまみの指標載置面と前記指標との間に防滴部材を配置したことを特徴としている。
本発明によれば、回転つまみの指標載置面と指標との間に防滴部材を配置するので、回転つまみのスムーズな回転操作を実現するとともに、回転つまみとこの上に載置される指標との隙間における効果的な防滴機能を実現することができる。さらに簡易な構造なので、製造コストの低減化を図ることができる。
【０００８】
また本発明は、前記特徴に加え、前記回転つまみと前記指標の前記防滴部材に当接する面が、何れも平面状に形成されていることを特徴としている。
これによって、回転つまみのスムーズな回転操作の実現と、回転つまみと指標との隙間の防滴を、簡易な構造によって実現することができる。
【０００９】
また本発明は、前記特徴に加え、前記基台の下面側に押圧スイッチを設けた第２の回路基板を設置し、一方、前記指標の上に押圧つまみを設置し、前記押圧つまみに設けたスイッチ押圧部を、前記指標に設けた挿通孔に挿入してその先端を前記押圧スイッチに対向させ、前記押圧つまみの下面と前記指標との間に、防滴部材を配置したことを特徴としている。
このように構成すれば、前記効果に加え、押圧つまみと指標との隙間を、効果的に防滴することができる。
【００１０】
また本発明は、前記特徴に加え、前記基台の下面側に押圧スイッチを設けた第２の回路基板と、前記第２の回路基板を載置する取付板とを設置し、前記基台は前記第２の回路基板上の押圧スイッチを押圧操作する押圧部を有し、且つ前記取付板に固定され、前記取付板上に前記押圧スイッチを囲み且つ内周側に向かって突出した部分に固定部を設けた防滴部材を設置し、前記ケースと前記基台の間に、前記防滴部材の固定部を挟んで固定したことを特徴としている。
このように構成すれば、前記効果に加え、ケースと基台との隙間を、効果的に防滴することができる。
【発明の効果】
【００１１】
本発明によれば、回転つまみとこの回転つまみの上に載置される指標（表示部材）とを少なくとも具備する回転式電子部品において、前記回転つまみのスムーズな回転操作を実現すると同時に、回転つまみと指標の間の隙間からその内部へ浸入しようとする液体の防滴を、簡易な構造によって効果的に行うことができる。
【図面の簡単な説明】
【００１２】
【図１】外装ケース５００内に収まった状態の回転式電子部品１−１の斜視図である。
【図２】回転式電子部品１−１の斜視図である。
【図３】回転式電子部品１−１の概略側断面図（図１のＡ−Ａ断面図）である。
【図４】回転式電子部品１−１の分解斜視図（その上側部分）である。
【図５】回転式電子部品１−１分解斜視図（その下側部分）である。
【図６】基台５０と防滴部材４００とケース３５０と回転つまみ２００と指標２５０と押釦つまみ３００を下側から見た斜視図である。
【図７】回転式電子部品１−１のケース３５０より下側の部分のみを示す斜視図である。
【図８】図５に示す防滴部材４００のＢ−Ｂ断面拡大図である。
【図９】取付板１０と外装ケース５００とによる防滴部材４００の挟持状態の他の例を示す要部拡大断面図である。
【図１０】取付板１０と外装ケース５００とによる防滴部材４００の挟持状態の他の例を示す要部拡大断面図である。
【図１１】取付板１０と外装ケース５００とによる防滴部材４００の挟持状態の他の例を示す要部拡大断面図である。
【図１２】取付板１０と外装ケース５００とによる防滴部材４００の挟持状態の他の例を示す要部拡大断面図である。
【図１３】取付板１０と外装ケース５００とによる防滴部材４００の挟持状態の他の例を示す要部拡大断面図である。
【発明を実施するための形態】
【００１３】
以下、本発明の実施形態を、図面を参照して詳細に説明する。図１は、外装ケース５００内に収まった状態にある回転式電子部品（多機能型電子部品）１−１の斜視図、図２は、回転式電子部品１−１の斜視図、図３は、外装ケース５００内に収まった状態の回転式電子部品１−１の概略側断面図（図１のＡ−Ａ断面図）、図４は、回転式電子部品１−１の分解斜視図（その上側部分）、図５は、回転式電子部品１−１の分解斜視図（その下側部分）、図６は、基台５０と防滴部材４００とケース３５０と回転つまみ２００と指標２５０と押釦つまみ３００を下側から見た斜視図である。なお、以下の説明において、「上」とは基台５０から回転つまみ２００側を見る方向をいい、「下」とはその反対方向をいうものとする。
【００１４】
本発明に係る回転式電子部品１−１は、図１に示すように、回転つまみ２００、指標２５０及び押圧つまみ３００から形成される上面が、外装ケース５００に設けた開口部５０１から突出するようにして載置される。
【００１５】
回転式電子部品１−１は、図２乃至図６に示すように、取付板１０の上に、第２の回路基板２０、基台５０、第１の回路基板７０、防滴部材４００、摺動子８０、クリック板９０、ケース３５０、防滴部材３６０、回転つまみ２００、防滴部材２３０、指標２５０、防滴部材２６０、押圧つまみ３００を順次積み重ねるようにして構成されている。
【００１６】
取付板１０は、図５に示すように、例えば鉄板などからなる金属製の略矩形状の硬質板からなっている。取付板１０の４つの角部近傍には、下記する基台５０の取付部６０と係合する小孔からなる挿入部１１が、それぞれ設けられている。
【００１７】
第２の回路基板２０は、例えば可撓性を有する合成樹脂フィルムの上面に所望の回路パターンを形成して構成されている。第２の回路基板２０の上面中央部（下記する押圧つまみ３００のスイッチ押圧部３０２の下端部と対向する位置）には、押圧スイッチ２１が配置され、またこの押圧スイッチ２１を取り囲むように、４つの押圧スイッチ２３が９０度毎に等間隔に配置されている（当該配置は、下記する基台５０の各押圧部６１と対向する配置となっている）。各押圧スイッチ２１，２３は、その上にドーム状に形成された弾性金属板からなる反転板２５を設置している。また、前記取付板１０の各挿入部１１に対向する位置には、それぞれ小孔からなる挿入部２６が形成されている。なお、第２の回路基板２０の上面に、防水シート（図示せず）を貼り付けてもよい。
【００１８】
基台５０は、下記するケース３５０及び第１の回路基板７０等が上面に載置される基台本体部５１と、基台５０を取付板１０に固定するために基台本体部５１の外側に配設された固定部５２と、基台本体部５１と固定部５２間を連結し且つ基台本体部５１を揺動自在に支持するヒンジ部５３とを具備し、これらを合成樹脂で一体成形して構成されている。
【００１９】
基台本体部５１は、略円形板状に形成されており、その中央には、上方へ突出する筒状の支持突起５４が設けられている。支持突起５４の側壁の一部には切欠き部が形成されており、この切欠き部と内側の空洞部とによって、挿通孔（以下「押圧部挿入部」という）５５が形成されている。この押圧部挿入部５５は、下記する押圧つまみ３００のスイッチ押圧部３０２及び回り止め係合部３０３を挿入する寸法形状に形成されている。また、支持突起５４の周囲には、円弧状の貫通孔からなる指標挿入部５６が、同一円周上に等間隔に３箇所設けられている。これら指標挿入部５６は、下記する指標２５０の各取付突起部２５７が挿入される。さらに、前記基台本体部５１の外周縁部近傍位置には、一対ずつの挿入部５７及び挿入部５８が、等間隔に、４箇所設けられている。これら挿入部５７及び挿入部５８は、下記するケース３５０の取付用突起３５５及び位置決め用突起３５６が挿入される形状寸法の小孔によって形成されている。また、基台本体部５１の下面には、前記第２の回路基板２０上に設けられた４つの押圧スイッチ２３と対向する位置に、ぞれぞれ小突起からなる押圧部６１が設けられている。
【００２０】
固定部５２及びヒンジ部５３は、基台本体部５１を取り囲む略矩形の枠体を形成し、固定部５２は前記枠体の４つの角部を構成し、４つのヒンジ部５３は前記枠体の４つの辺を構成している。前記各固定部５２には、上方へ突出する取付部５９と下方へ突出する取付部６０とがそれぞれ設けられている。取付部６０は、前記取付板１０の挿入部１１と対向する位置にあって、この挿入部１１へ挿入される寸法に形成されている。取付部５９は、下記する防滴部材４００の挿入孔４０４と対向する位置にあって、この挿入孔４０４へ挿入される寸法に形成されている。一方、前記枠体の４辺を構成するヒンジ部５３は、各辺の中間位置からそれぞれ内側に向かって突出部を突出する略Ｔ字状の薄板からなり、前記突出部の先端を基台本体部５１の外縁部と連結している。ヒンジ部５３を介して固定部５２と結合する基台本体部５１は、ヒンジ部５３が撓むことで、水平面に対して揺動する構造となっている。
【００２１】
第１の回路基板７０は、可撓性を有する合成樹脂フィルムからなる略円形状で薄板状の基板７１と、この基板７１上に形成された摺接パターン７２と、外部と電気的に接続するための連結部７３とを有して構成されている。基板７１には、その中央に開口部７４が設けられており、また、その外周縁に突起部７５が外側へ向けて突設されている。突起部７５は、下記するケース３５０の取付用突起３５５を挿入する小孔からなる挿通部７６を備えている。摺接パターン７２は、電気的機能部の一部を構成し、下記する回転つまみ２００と一体に回転する摺動子８０の軌跡と整合する位置、この例では開口部７４を囲む位置に設けられている。摺接パターン７２の具体的構成については特に図示していないが、スイッチパターン又は抵抗体パターン、若しくはその他の機能を有するパターンであってもよい。連結部７３は、帯状であって、一端が基板７１の外周縁に接続され、他端が図示しない位置で第２の回路基板２０に接続され、これによって第１の回路基板７０での電気的出力を第２の回路基板２０側に取り出している。
【００２２】
摺動子８０は、弾性金属板製であり、中央に開口部８１が開口するリングで薄板状の基部８２と、前記基部８２に１２０度毎に等間隔で配設された３つの取付固定部８３と、これら３つの取付固定部８３を起点に、基部８２の内周側及び外周側に延在する一対ずつの円弧状の摺接ブラシ８４とを有して構成されている。各摺接ブラシ８４の先端部には、摺動接点８５が形成され、また、各摺接ブラシ８４の取付固定部８３と接続する根元部分は、下方に向けて僅かに折り曲げられている。また、３つの取付固定部８３には、下記する回転つまみ２００の固定突起部２１１を挿入する貫通孔８６が、それぞれ設けられている。
【００２３】
クリック板９０は、円形に形成された薄板状の弾性金属板からなる本体部９１と、本体部９１の外周を囲むように配設された略半リング状の一対のアーム部９２と、本体部９１と一対のアーム部９２とを連結する一対の連結部９３とを一体に形成して構成されている。本体部９１の中央には開口部９４が設けられており、また小孔からなる取付部９５が、１２０度毎に等間隔に３つ形成されている。一対のアーム部９２の中間位置には、上方へ略円弧状に屈曲して突出するクリック弾接部９６がそれぞれ形成されている。
【００２４】
回転つまみ２００は、合成樹脂の成形品であって、略円形状であり、その外周縁には下方へ延びる外側壁部２０１が形成され、中央には略円形の貫通孔からなる開口部２０２が形成され、外側壁部２０１の上端部には放射状に溝が設けられたつまみ部２０３が形成され、つまみ部２０３内側の上面には円形凹状の指標収納部２０４が設けられ、さらに中央下面から突出するように回転軸２１０を形成して構成されている。指標収納部２０４は、深さが異なる２つの同心円のリング状凹部（以下、外側に浅く形成されたリング状凹部を外側リング状凹部２０５といい、内側に深く形成されたリング状凹部を内側リング状凹部２０６という）から構成されている。回転軸２１０は略円筒形状であって、その外径寸法は、下記するケース３５０の回転つまみ挿通孔３５７の内径寸法より僅かに小さくなるように形成されている。外側リング状凹部２０５の底面である指標載置面２０７は、水平面で平面状に形成されており、この上に、下記する指標２５０の表示部２５１が、下記する防滴部材２３０を介して載置される。また外側リング状凹部２０１の下面側の面（回転軸２１０の外側に位置する面、即ち防滴部材３６０が当接する面）もリング状で平面状（水平面状）に形成されている。なお、指標載置面２０７は、水平面に限定される訳ではなく、例えば内側上方に向かって（すなわち開口部２０２に向かって）円錐状に傾斜する錘面（テーパー面）であってもよい。このような形状にすることで、回転つまみ２００と指標２５０との隙間から入り込んだ水滴等の液体が開口部２０２へ到達し難くなり、これによって回転式電子部品内への浸水を防止できるといった効果が期待できる。また、回転軸２１０の底部に設けられる底板部２０９の裏面（下面）には、摺動子８０の各貫通孔８６及びクリック板９０の各取付孔９５に挿入される固定用突起部２１１が、１２０度毎に等間隔で３つ下方へ向けて突設されている。また、外側壁部２０１の下端部には、つば部２１２が外方に向けてリング状に突出するように設けられている。
【００２５】
防滴部材２３０は、リング状で薄板状のフッ素樹脂（ポリテトラフルオロエチレン樹脂）からなり、中央に開口部２３１が開口している。フッ素樹脂は、潤滑性が高く（摩擦係数が小さく）、また撥水性の高い樹脂である。防滴部材２３０の上下面は、何れも滑らかな平面状（水平面状）に形成されている。
【００２６】
指標２５０は、合成樹脂の成形品であり、略円板状の表示部２５１と、表示部２５１の上面中央に形成される押圧つまみ収納部２５２とを具備している。押圧つまみ収納部２５２は、下記する押圧つまみ３００の押圧操作部３０１を収納する寸法で円形凹状に形成されている。押圧つまみ収納部２５２の底面中央には、押圧つまみ３００の下記するスイッチ押圧部３０２及び回り止め係合部３０３を貫通させる挿通孔２５３が形成されている。即ち、挿通孔２５３は、中央に位置する円形状の孔の一側方から外側に向けて矩形状の孔が突出する形状を有している。押圧つまみ収納部２５２の底面は表示部２５１の下面より下方向に円形状に突出しており、その突出部分の下面には、下方に向かって略円筒状に突出する軸部２５６が設けられ、その下端辺からさらに複数（本実施形態では３つ）の取付突起部２５７が突設している。各取付突起部２５７は、横断面円弧状の略平板からなり、１２０度毎に略等間隔に設けられている。一方、表示部２５１の下面（前記防滴部材２３０を当接する面）は平面状（水平面状）に形成されている。また、表示部２５１の下面（裏面）の内側位置には、前記押圧つまみ収納部２５２の下面側の突出部分を囲うように、リング状の突出部２５８が形成されている。この突出部２５８は、防滴部材２３０をセンタリングし、且つ組付け時に回転つまみ２００の内側リング状凹部２０６の内側に配置される。
【００２７】
押圧つまみ３００は、合成樹脂の成形品であり、円板状の押圧操作部３０１と、この押圧操作部３０１の下面から下方に向けて突設するスイッチ押圧部３０２とを有して構成されている。スイッチ押圧部３０２の外周側面からは、略矩形板状の回り止め係合部３０３が突出している。
【００２８】
防滴部材２６０は、中央に開口部２６１が開口する円筒状に形成されており、押圧つまみ３００の押圧操作を妨げないよう、上下方向に変形（圧縮）可能な、水を通さないスポンジ状の弾性防水材からなっている。防滴部材２６０に用いるスポンジとしてこの例では、防水性を有する発泡ウレタン（他の材質でも良い）製のスポンジを用いている。このスポンジは、容易に圧縮でき、圧縮したときの弾性復帰力が弱くて時間をかければ元の形状に自動的に復元する（通常のスポンジと同等の弾性を有するもの）、防水性（液体を吸収しない）を有するスポンジである。
【００２９】
ケース３５０は、合成樹脂の成形品であって、リング状で略平板状の上面部３５１と、上面部３５１の外周縁から下方に向かって突出する外側壁部３５３とを備えている。即ち、下面は開放されている。外側壁部３５３の下端部には、略矩形平板状の４つの突起部３５４が、９０度毎に等間隔で外側に向けて突設されており、その下面から取付用突起３５５及び位置決め用突起３５６が下方に向けて突設されている。ケース３５０の上面部３５１は防滴部材３６０が当接する面であって平面状（水平面状）であり、その中央には、上下に貫通する円形の開口部（以下「回転つまみ挿通孔」という）３５７が形成されている。この回転つまみ挿通孔３５７は、前記回転つまみ２００の回転軸２１０を回動自在に挿入する寸法に形成されている。また上面部３５１の下面には、リング状の凹凸からなるクリック係合部３５８が形成されている。なお、ケース３５０は、外側壁部３５３の下端面が基台５０の基台本体部５１上に載置されることで、その内側に電気的機能部収納空間Ａ１を形成する。
【００３０】
防滴部材３６０は、リング状で薄板状のフッ素樹脂（ポリテトラフルオロエチレン樹脂）からなり、中央に開口部３６１が開口している。防滴部材３６０の上下面は、何れも滑らかな平面状（水平面状）に形成されている。
【００３１】
防滴部材４００は、弾性材(例えばラバー等）の成形品であって、本実施形態においては、例えば肉薄でリング状の薄板部４０１と、この薄板部４０１の外周縁から下方へ向けて一定の長さで突出する４つの肉厚部４０２とを具備している。この４つの肉厚部４０２は、いずれも縦断面略矩形状かつ横断面略円弧状であり、９０度毎に等間隔で設けられており、それらの間に前記基台５０の固定部５２を配置させるための切り欠き部４１２が形成されている。薄板部４０１の外周縁（切り欠き部４１２の中央上部）には、４つの固定用突起部４０３が、９０度毎に等間隔で外側に向けて突設されており、その内部には挿入孔４０４が開口している。この挿入孔４０４は、前記基台５０の取付部５９が挿入される貫通孔であって、防滴部材４００を基台５０に固定するためのものである。
【００３２】
図８は、図５に示す防滴部材４００のＢ−Ｂ断面拡大図である。同図に示すように、薄板部４０１は、内側に位置する比較的肉厚の固定部４０５と、その外側に位置する肉薄のヒンジ部４０６とこれらの部位を接続する連結部４０７とを有して構成されている。また図５、図６に示すように、薄板部４０１の内周縁部には、４つの凹部４０８が、前記固定用突起部４０３の半径方向内方に位置するように、９０度毎に等間隔で設けられている。この４つの凹部４０８は、前記ケース３５０の取付用突起３５５を挿通させるために設けられている。また、４つの凹部４０８と隣接する位置に、前記ケース３５０の位置決め用突起３５６を挿入する位置決め孔４０９がそれぞれ設けられている。さらに固定部４０５の上面（換言すると、薄板部４０１の上面の内周縁部近傍位置）には、縦断面三角形状の突起部４１０が上方に向けて突設されている。この突起部４１０は、４つの凹部４０８及びこれに隣接する位置決め孔４０９の外側を迂回するようにして全周にわたって連続的に形成されている。また薄板部４０１の外周縁部であって肉厚部４０２の上端部にも、突起部４１１が上方に向けて突設されている。突起部４１１は、前記４つの挿入孔４０４の内側を迂回するようにして全周にわたって連続的に形成されている。
【００３３】
外装ケース５００は、合成樹脂の成形品であり、回転つまみ２００の上面を露出する円形の開口部５０１を有している。開口部５０１の内径寸法は、回転つまみ２００の外側壁部２０１の外径寸法よりも大きく、つば部２１２の外径寸法よりも小さく形成されている。
【００３４】
次に、回転式電子部品１−１の組立方法について説明する。まず、押圧つまみ３００の下側に防滴部材２６０を設置する。その際、押圧つまみ３００のスイッチ押圧部３０２と回り止め係止部３０３を、防滴部材２６０の開口部２６１に挿通する。
【００３５】
次に、前記防滴部材２６０の下側に指標２５０を設置する。このとき、防滴部材２６０の下面に突出しているスイッチ押圧部３０２及び回り止め係止部３０３を、指標２５０の挿通孔２５３に挿通し、かつ指標２５０の押圧つまみ収納部２５２内に防滴部材２６０及び押圧つまみ３００の押圧操作部３０１を収納する。これによって、防滴部材２６０の上下面に押圧操作部３０１の下面と押圧つまみ収納部２５２の底面とが当接する。
【００３６】
次に、前記指標２５０の下側に防滴部材２３０を設置する。このとき、指標２５０の突出部２５８を防滴部材２３０の開口部２３１内に挿入し、防滴部材２３０を指標２５０の表示部２５１の裏面上に載置する。
【００３７】
次に、前記防滴部材２３０の下側に回転つまみ２００を設置する。このとき、指標２５０の軸部２５６を回転つまみ２００の開口部２０２内に挿入し、同時に回転つまみ２００の指標収納部２０４内に防滴部材２３０及び指標２５０の表示部２５１を収納する。またこのとき、突出部２５８は回転つまみ２００の内側リング状凹部２０６内に収納される。一方、表示部２５１の突出部２５８よりも外側部分は外側リング状凹部２０５内に収納され、前記防滴部材２３０の平面状の上下面は、表示部２５１（その突出部２５８よりも外側部分）の平面状の下面と指標収納部２０４（その外側リング状凹部２０５）の平面状の指標載置面２０７とに、それぞれ面状に密着するように接触する。
【００３８】
次に、前記回転つまみ２００の下側に防滴部材３６０とケース３５０とを設置する。このとき、回転つまみ２００の回転軸２１０が、防滴部材３６０の開口部３６１とケース３５０の回転つまみ挿通孔３５７に挿入され、これによって防滴部材３６０の平面状の上下面は、回転つまみ２００の平面状の下面とケース３５０（その上面部３５１）の平面状の上面とに、それぞれ面状に密着するように接触する。同時に、回転つまみ２００の回転軸２１０は、ケース３５０の回転つまみ挿通孔３５７に回動自在に支持される。
【００３９】
次に、ケース３５０の下側にクリック板９０を設置する。このとき、ケース３５０の回転つまみ挿通孔３５７からその下側に露出している回転つまみ２００の３つの固定用突起部２１１をクリック板９０の取付孔９５に挿入する。またこのときクリック板９０の本体部９１は、回転つまみ２００の底板部２０９の裏面（下面）及びケース３５０の回転つまみ挿通孔３５７の下面側の周囲部分に当接した状態となる。
【００４０】
次に、前記クリック板９０の下側に摺動子８０を設置し、重ね合わせる。このとき、回転つまみ２００の３つの固定用突起部２１１を摺動子８０の各貫通孔８６に挿入する。そして、前記３つの固定用突起部２１１を熱カシメする。これにより、回転つまみ２００、クリック板９０及び摺動子８０が一体化される。
【００４１】
次に、ケース３５０の下側に防滴部材４００を設置する。このとき、ケース３５０の取付用突起３５５及び位置決め用突起３５６を、防滴部材４００の凹部４０８及び位置決め孔４０９に挿入する。またこのとき、防滴部材４００の突起部４１０（固定部４０５の上面）とケース３５０の外側壁部３５３の下端面とが全周にわたって当接する。
【００４２】
次に、防滴部材４００の下側に第１の回路基板７０を設置する。このとき、ケース３５０の何れかの取付用突起３５５を第１の回路基板７０の挿入部７６に挿入する。またこのとき、第１の回路基板７０の摺接パターン７２に、摺動子８０の摺動接点８５が当接する。
【００４３】
次に、第１の回路基板７０の下側に基台５０を設置して、その基台本体部５１上に載置する。このとき、ケース３５０の取付用突起３５５及び位置決め用突起３５６を基台本体部５１の挿入部５７及び挿入部５８に挿入する。またこのとき、防滴部材４００の各挿入孔４０４に、基台５０の各取付部５９を挿入して位置決めする。またこのとき、押圧つまみ３００のスイッチ押圧部３０２及び回り止め係止部３０３を基台５０の押圧部挿入孔５５に挿入し、また指標２５０の各取付突起部２５７を基台５０の各指標挿入部５６に挿入する。またこのとき、基台本体部５１の外周近傍上面部分に、防滴部材４００の固定部４０５（その下面）が全周にわたって当接した状態となる。
【００４４】
そして、前記指標２５０の各取付突起部２５７の下端部と、前記ケース３５０の各取付用突起３５５の下端部を、基台本体部５１の下面において熱カシメする。これにより、上記組み立てた各部材が一体化される。また、防滴部材４００の固定部４０５が、基台５０の基台本体部５１とケース３５０の外側壁部３５３の下端面とに全周にわたって挟持される。
【００４５】
次に、前記基台５０の下側に第２の回路基板２０と取付板１０とを設置する。このとき、基台５０の各取付部６０を第２回路基板２０の各挿入部２６と取付板１０の各挿入部１１に挿通し、取付板１０の下面から突出する各取付部６０の先端を熱カシメする。これによって回転式電子部品１−１の組み立てが完了する。このとき、第２の回路基板２０の押圧スイッチ２１の真上に押圧つまみ３００のスイッチ押圧部３０２の先端が当接し、また、第２の回路基板２０の各押圧スイッチ２３の真上に基台５０の各押圧部６１の先端が当接する。なお上記組立手順はその一例であり、他の各種異なる組立手順を用いて組み立てても良いことはいうまでもない。
【００４６】
さらに、回転式電子部品１−１の外装ケース５００への装着は、例えば外装ケース５００の内側（図３においては下側）に回転式電子部品１−１を配置し、その際、回転つまみ２００の上部をケース５００の開口５０１に挿入し、防滴部材４００に設けた突起部４１１を外装ケース５００の下面に全周にわたって当接させ、この状態で図示しない所定の方法によって両者間を固定することによって行われる。
【００４７】
前記回転式電子部品１−１において、回転つまみ２００を回転すると、電気的機能部収納空間Ａ１内に配置された摺動子８０及びクリック板９０が、回転つまみ２００と一体に回転する。この結果、摺動子８０の摺動接点８５は、前記第１の回路基板７０上に形成された摺接パターン７２上を摺動し、回転つまみ２００の回転位置（回転角度）に応じた検出信号を出力する。また、クリック板９０のクリック弾接部９６が、回転つまみ２００の回転に応じてケース３５０の下面に設けたクリック係合部３５８に弾性係合し、これによってクリック感触が得られる。なお、回転つまみ２００は、載置面として機能するケース３５０の上面部３５１の表面（上面）との間、及び指標２５０の表示面２５１の裏面（下面）との間で相対回転することになるが、これら相対回転部においては、いずれもフッ素樹脂等の滑らかな上下面を有する防滴部材３６０及び防滴部材２３０が介在することで回転操作時の摺動抵抗を極めて小さく抑えることができる。
【００４８】
次に、回転式電子部品１−１上面に配置された押圧つまみ３００の押圧操作部３０１を押圧すると、スイッチ押圧部３０２が下降し、当該スイッチ押圧部３０２の先端が、これと当接する第２の回路基板２０上の押圧スイッチ２１を押圧する。この結果、押圧スイッチ２１を構成する反転板２５が反転し、押圧スイッチ２１はオンする。前記押圧つまみ３００の押圧状態を解除すると、前記反転板２５は元の形状に自動復帰し、押圧スイッチ２１はオフする。
【００４９】
次に、回転つまみ２００の上面の所定の位置、具体的には、基台本体部５１の裏面に設けられた押圧部６１に対応する位置を押圧すると、その押圧力は、ケース３５０を介して基台本体部５１へと伝達し、ヒンジ部５３によって揺動自在に支持された基台本体部５１の前記押圧部６１を設けた部分が下降する。この結果、当該押圧部６１は、これと当接する第２の回路基板２０上の押圧スイッチ２３を押圧し、押圧スイッチ２３を構成する反転板２５を反転させて、これをオンする。回転つまみ２００への押圧を解除すると、前記反転板２５は元の形状に自動復帰し、押圧スイッチ２３はオフする。
【００５０】
次に、回転式電子部品１−１における防滴機能について説明する。水滴等の液体は、回転つまみ２００と指標２５０との隙間、指標２５０と押圧つまみ３００との隙間、回転つまみ２００とケース３５０との隙間、ケース３５０と基台５０（基台本体部５１）との隙間、及び回転つまみ２００と外装ケース５００との隙間からその内部に浸入しようとする。そして、回転つまみ２００と指標２５０との隙間から浸入しようとする液体は、防滴部材２３０によって、その浸入が確実に阻止される。また指標２５０と押圧つまみ３００との隙間から浸入しようとする液体は、防滴部材２６０によって、その浸入が確実に阻止される。また回転つまみ２００とケース３５０との隙間から浸入しようとする液体は、防滴部材３６０によって、その浸入が確実に阻止される。またケース３５０と基台５０（基台本体部５１）との隙間から浸入しようとする液体は、防滴部材４００の固定部４０５によって、その浸入が確実に阻止される。また回転つまみ２００と外装ケース５００との隙間から浸入して、さらに押圧スイッチ２１，２３側や、第２の回路基板２０の裏面側に浸入しようとする液体は、防滴部材４００によって、その浸入が確実に阻止される。
【００５１】
ここで、回転つまみ２００と外装ケース５００との隙間の防滴機能に関し、回転式電子部品１−１では、前述したように、防滴部材４００（固定部４０５）を基台５０（基台本体部５１）とケース３５０（外側壁部３５３の下端部）とで挟持し、また、防滴部材４００（肉厚部４０２）を取付板１０上面と外装ケース５００の下面とによって挟持することにより、基台本体部５１の揺動を妨げることなく高い防滴機構を実現している。この点を詳述すると、前記構成によれば、図３及び図７からも分かるように、電気的機能部収納空間Ａ１は、基台５０（基台本体部５１）とケース３５０と防滴部材４００とで囲まれた領域として形成されることから、回転つまみ２００と外装ケース５００との隙間から浸入する液体が落下する防滴部材４００の薄板部４０１上面と空間的に隔絶（シール）されている。このため、前記液体が、電気的機能部収納空間Ａ１に流れ込むことはない。さらに、本実施形態においては、縦断面三角形の突起部４１０が設けられていることで小さな押圧力によっても高い面圧によって確実にシールされる構造となっている。また、外装ケース５００の下面に防滴部材４００（肉厚部４０２上端）が圧接することから、防滴部材４００の薄板部４０１上面に落下した前記液体が、ケース５００の内部や、第二の回路基板２０が配設された部分に流れ込むことはない。さらに、本実施形態においては、肉厚部４０２上端に突起部４１１が設けられていることで、小さな押圧力によっても高い面圧によって確実にシールされる構造となっている。
【００５２】
図９ないし図１３は、それぞれ取付板１０と外装ケース５００とによって防滴部材４００が挟持される形態についての他の実施形態に関し、その要部を拡大した図である。図９に示す例においては、肉厚部を設けず、薄板部４０１の外周縁部を上方へ屈曲させ、その上面を外装ケース５００の下面に当接させ、下面を取付板１０上から突出させた凸部１５の上端面に当接させることで、薄板部４０１の外周縁部を上下から挟持する構成としている。また、図１０に示す実施形態においては、肉厚部を設けずに薄板部４０１の外周縁部を下方に屈曲させ、その上面を外装ケース５００の下面から突出する凸部５０５の下端面に当接させ、その下面を取付板１０の上面（及びその上の第２の回路基板２０の上面）に当接させることで、薄板部４０１の外周縁部を上下から挟持する構成としている。また、図１１に示す実施形態においては、上端に突起部４１１が設けられた肉厚部４０２の厚みを抑えるとともに、取付板１０上に凸部１６を突設させ、当該凸部１６上端面と外装ケース５００の下面とによって肉厚部４０２を挟持する構成としている。また、図１２に示す実施形態においては、上端に突起部４１１が設けられた肉厚部４０２の厚みを抑えるとともに、外装ケース５００の下面に凸部５１０を突設させ、当該凸部５１０下端面と取付板１０の上面（及びその上の第２の回路基板２０の上面）とによって肉厚部４０２を挟持する構成としている。図１３に示す実施形態においては、上端に突起部４１１が設けられた肉厚部４０２の厚みを抑えるとともに、取付板１０上に凸部１７を突設させ、外装ケース５００の下面に凸部５１５を突設させ、当該凸部１７の上端面と当該凸部５１５の下端面とによって肉厚部４０２を挟持する構成としている。このように、取付板１０と外装ケース５００とによって防滴部材４００が挟持される形態は、種々の変形が可能であり、また、弾性部材４００における肉厚部４０２は、必ずしも必要でない。
【００５３】
前記構成からなる本発明によれば、回転つまみ２００とこの回転つまみ２００の上に載置される指標（表示部材）２５０との隙間における防滴を、簡易な構造によって効果的に実現することができる。また、指標２５０と押圧つまみ３００との隙間の防滴、回転つまみ２００とケース３５０との隙間の防滴、ケース３５０と基台５０との隙間の防滴、及び回転つまみ２００と外装ケース５００との隙間の防滴についても、簡易な構造によって効果的に実現することができる。
【００５４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態の指標２５０に設けた突出部２５８の下端と、回転つまみ２００に設けた内側リング状凹部２０６の底面との間（対向面間）に、前記防滴部材２６０と同様の材料からなる防滴部材を設置し挟持させても良い。このように構成すれば、指標２５０と回転つまみ２００間の隙間部分の防滴をさらに効果的に行えるようになる。その場合、突出部２５８の高さ方向に向かう長さ寸法を短くして内側リング状凹部２０６の底面との隙間寸法を大きくし、その分厚みの厚い防滴部材を設置しても良い。また、この防滴部材を確実に指標２５０に支持させるため、突出部２５８の半径方向内側に向かう厚みを厚くしても良い。
【００５５】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００５６】
１−１  回転式電子部品
２０  第２の回路基板
２１，２３  押圧スイッチ
５０  基台
５５  挿通孔（押圧部挿入部）
６１  押圧部
７０  第１の回路基板（回路基板）
２００  回転つまみ
２０７  指標載置面
２１０  回転軸
２３０  防滴部材
２５０  指標
２６０  防滴部材
３００  押圧つまみ
３０２  スイッチ押圧部
３５０  ケース
３５７  開口部（回転つまみ挿通孔）
３６０  防滴部材
４００  防滴部材
４０５  固定部
５００  外装ケース
【図１】
2019040716.tif 000003
【図２】
2019040716.tif 000004
【図３】
2019040716.tif 000005
【図４】
2019040716.tif 000006
【図５】
2019040716.tif 000007
【図６】
2019040716.tif 000008
【図７】
2019040716.tif 000009
【図８】
2019040716.tif 000010
【図９】
2019040716.tif 000011
【図１０】
2019040716.tif 000012
【図１１】
2019040716.tif 000013
【図１２】
2019040716.tif 000014
【図１３】
2019040716.tif 000015